(57)【要約】    【課題】アルミ缶などの空き缶を簡単な方法で容易に縦方向に潰すことができ、潰した後のアルミ缶の形状による切り傷等の怪我の防止を目的とする簡単な構造の空き缶つぶし器を提供する。    【解決手段】上部がガイドプレート(１)で閉鎖され、底部が開放されたシリンダー(２)と、前記シリンダー(２)のガイドプレート(１)の通し穴(８)を通したガイドロッド(５)と、前記ガイドロッド(５)の下端に取り付けた圧縮プレート(４)とを備え、前記圧縮プレート(４)は前記シリンダー(２)の内壁に沿って上下動可能に内設されている空き缶つぶし器である。空き缶をコンクリート床面などに立てて置き、本発明の空き缶つぶし器をかぶせる。そして、ハンマーによりガイドロッド(５)の上端のハンマー打撃用凸球状面(１１)に衝撃圧縮力を加える。すると圧縮プレート(４)はシリンダー(２)の内壁に沿って降下しアルミ缶は圧縮され潰れる。    【選択図】図１
2006289499.tif 000002
【特許請求の範囲】
【請求項１】
上部がガイドプレート(１)で閉鎖され、底部が開放されたシリンダー(２)と、
前記ガイドプレート(１)の通し穴(８)を通したガイドロッド(５)と、
前記ガイドロッド(５)の下端に取り付けた圧縮プレート(４)とを備え、
前記圧縮プレート(４)は前記シリンダー(２)の内壁に沿って上下動可能に内設されていることを特徴とする空き缶つぶし器。
【請求項２】
前記ガイドロッド(５)の上端には前記圧縮プレート(４)の前記シリンダー(２)外への抜け落ち防止のためのストッパー(９)が設置されていることを特徴とする請求項１記載の空き缶つぶし器。
【請求項３】
前記ガイドロッド(５)の上端には前記圧縮プレート(４)に衝撃圧縮力を伝えるためのハンマー打撃用凸球状面(１１)が形成されていることを特徴とする請求項１記載の空き缶つぶし器。
【請求項４】
前記ガイドプレート(１)及び／又は前記圧縮プレート(４)にエア抜き孔(３)が設けられていることを特徴とする請求項１記載の空き缶つぶし器。
【請求項５】
前記シリンダー(２)側面にエア抜き孔が設けられていることを特徴とする請求項１記載の空き缶つぶし器。
【請求項６】
前記圧縮プレート(４)に空き缶の安定と衝撃圧縮力伝達の効率化のための受け機構(１０)が設けられていることを特徴とする請求項１記載の空き缶つぶし器。
【請求項７】
前記シリンダー(２)の外壁にハンドル(６)が取り付けられていることを特徴とする請求項１記載の空き缶つぶし器。
【請求項８】
前記シリンダー(２)の最下部には安定リング(７)が設けられていることを特徴とする請求項１記載の空き缶つぶし器。
【発明の詳細な説明】
【技術分野】
【０００１】
本発明は、簡単な方法で容易に空き缶をつぶすことができる簡単な構造の空き缶つぶし器、特にアルミ缶に好適に使用できる空き缶つぶし器に関する。
【背景技術】
【０００２】
ビール、ジュースなどの空き缶、特にアルミ缶はリサイクル意識の高揚から回収が多くなっているが、各家庭や職場、地域等において保管・運搬の便から押し潰しておくことが多い。そのようなニーズに応えるために現在ではいろいろな装置が知られている。例えば、特開２００１−７９６８９(特許文献１)には人力を用いてレバーを押すことでピストンの作用により空き缶を横方向から潰す装置が、また特開２００４−２９１０５３(特許文献２)にはモーターの動力で空き缶を横方向から２ステップで押し潰す装置が開示されている。さらに実用新案登録第３０１５１００号(特許文献３)では円筒内に上下動する円形の加圧部と加圧部を支持する支持棒、そして潰したアルミ缶を円筒内より排出する排出機構から構成される装置が開示されている。
【特許文献１】特開２００１−７９６８９
【特許文献２】特開２００４−２９１０５３
【特許文献３】実用新案登録第３０１５１００号
【発明の開示】
【発明が解決しようとする課題】
【０００３】
各家庭や職場、地域等で使用する従来の空き缶つぶし器には、手や足などの人力を用いることから弱い力でも潰れやすいように空き缶の横方向から押し潰すものが知られているが、潰した後の空き缶の形状が扁平状になったり、あるいは破れたりすることがあり、取り扱いの際に切り傷等の怪我の危険性が伴うことがあった。また、モーターや圧縮空気などの動力を使う装置も知られているが装置の製作費の高額化や使用方法の複雑化という問題あった。
【０００４】
そこで本発明は、構造が簡単な装置であり、簡単な方法で空き缶を縦方向に押し潰すことができ、潰した後の空き缶の形状がコンパクトになり、取り扱い時における形状による切り傷等の怪我をすることのない空き缶つぶし器を提供することを目的とする。
【課題を解決するための手段】
【０００５】
前述した課題を解決するための本発明による空き缶つぶし器は、
上部がガイドプレート(１)で閉鎖され、底部が開放されたシリンダー(２)と、
前記シリンダー(２)のガイドプレート(１)の通し穴(８)を通したガイドロッド(５)と、
前記ガイドロッド(５)の下端に取り付けた圧縮プレート(４)とを備え、
前記圧縮プレート(４)は前記シリンダー(２)の内壁に沿って上下動可能に内設されていることを特徴とする。なお前記シリンダー(２)は筒体構造であり、前記シリンダー(２)の内径よりやや小さい径の前記圧縮プレート(４)が、前記シリンダー(２)の内壁に沿って上下動する。
【０００６】
前記ガイドロッド(５)の上端には前記圧縮プレート(４)が前記シリンダー(２)外への抜け落ち防止のためのストッパー(９)が設置されていることを特徴とする。
【０００７】
前記ガイドロッド(５)の上端には前記圧縮プレート(４)に衝撃圧縮力を伝えるためのハンマー打撃用凸球状面(１１)が形成されていることを特徴とする
【０００８】
前記ガイドプレート(１)及び／又は前記圧縮プレート(４)にエア抜き孔(３)が設けられていることを特徴とする。
【０００９】
前記シリンダー(２)側面にエア抜き孔が設けられていることを特徴とする。
【００１０】
前記圧縮プレート(４)に空き缶の安定と衝撃圧縮力伝達の効率化のための受け機構(１０)が設けられていることを特徴とする。なお前記受け機構(１０)は前記圧縮プレート(４)の下面の外周に縁状に突起が形成されている。すなわち前記受け機構(１０)は盆を裏返したような形状をしている。
【００１１】
前記シリンダー(２)の外壁にハンドル(６)が取り付けられていることを特徴とする。
【００１２】
前記シリンダー(２)の最下部には安定リング(７)が設けられていることを特徴とする。
【発明の効果】
【００１３】
以上のとおり、本発明の装置は前記シリンダー(２)の底部が開放されているため特別な排出機構を必要とせず、全体として構造がシンプルであり、装置の持ち運びも容易となっている。また簡単な方法で容易に空き缶を縦方向に圧縮して潰すことができる。また圧縮後のアルミ缶の形状を均一でコンパクトかつバリがない状態にすることができるため、潰した空き缶の取り扱い時における切り傷等の怪我を防止できる。
【発明を実施するための最良の形態】
【００１４】
以下、本発明の好適な実施形態について、350mlアルミ製ビール缶を例にとり、添付図面１〜４に沿って詳細に説明する。
【００１５】
まず、本発明の空き缶つぶし器の使用方法の例について図１〜３を参照しつつ説明する。
本発明の空き缶つぶし器を使用した空き缶つぶしの作業はコンクリート面や鉄板を敷いた地面など固く安定した場所で行う。
図２のように空き缶(１２)をコンクリート床面などに立てて置き、本発明の空き缶つぶし器をかぶせる。すなわち空き缶(１２)を開放されている底部からシリンダー(２)内に挿入する。すると図２に示すようにガイドロッド(５)が押し上げられた状態となる。次にハンドル(６)を持って空き缶つぶし器を支えながら、ハンマーによりガイドロッド(５)の上端のハンマー打撃用凸球状面(１１)に衝撃圧縮力を加える。すると圧縮プレート(４)は円筒状のシリンダー(２)の内壁に沿って降下し図３のようにアルミ缶(１２)は圧縮されアルミ缶(１３)のように潰れる。潰されたアルミ缶は元のアルミ缶の１／５の高さのバリがなく均一な円柱形に圧縮される。これで潰れた空き缶を取り扱う際の切り傷等の怪我の心配が無くなる。
【００１６】
以下、図1に沿って本発明の空き缶つぶし器の構成について詳細に説明する。
【００１７】
圧縮プレート(４)は、アルミ缶に当接し圧縮するための円形の板であり、缶と接する下面の側面には受け機構(１０)が設けられている。アルミ缶の上部には通常３〜５mm程度の絞られた部分(ここでは肩と呼ぶことにする)が設けられているが、この受け機構(１０)は、厚み３〜５mm程のアルミ缶の肩の先端部よりわずかに大きい径を内側に持った縁で、アルミ缶の肩を圧縮時に押さえ、前期圧縮プレート(４)からアルミ缶がずれることを防ぐ役割と圧縮時のアルミ缶の肩の部分への衝撃圧縮力集中の役割を果たす。これによりハンマーなどにより加えられた衝撃圧縮力を縁がない状態に比べ、アルミ缶の肩の部分へより強い衝撃圧縮力を伝えることができるため、横方向に比べて潰し辛かった縦方向においても潰し易くなる(図４参照)。なお受け機構(１０)は連続した形の縁でも不連続な突起状の縁でもどちらでも可能である。制作費は高くなるが、不連続な突起状の縁の方が潰す効果は大きくなる。
【００１８】
ガイドロッド(５)は、上端にハンマーにより加えられた衝撃圧縮力を前記圧縮プレート(４)に伝える役割を果たす。またこのガイドロッド(５)の下記シリンダー(２)外の上部には前記圧縮プレート(４)のシリンダー(２)外への落下を防止するためストッパー(９)が付いている。ストッパー(９)の形状は通し穴(８)を通り抜けてしまわない形状であればどのような形状でもかまわないが、図１の状態の時ガイドプレート(１)と接する部分の幅は２mm程度にするのが望ましい。このストッパー(９)は下記ガイドプレート(１)の通し穴(８)に引っ掛かることにより、下記シリンダー(２)内にアルミ缶を挿入していない状態で前記圧縮プレート(４)が高さ２０mmの位置で止まるように作られている。よって前記圧縮プレート(４)の昇降ストロークはガイドロッド(５)の長さ、正確にはストッパー(９)と圧縮プレート(４)の距離により決定するので、ガイドロッド(５)の長さを変更することでさまざまな空き缶に対応可能である。またハンマー打撃用凸球状面(１１)は、圧縮時に衝撃圧縮力を加える部分で、平面であるとハンマーの打撃回数が重なるにつれ面がつぶれてしまうので、それを防ぐために凸球状面となっている。またハンマー打撃用凸球状面(１１)とストッパー(９)は一体となっており、上部がハンマー打撃用凸球状面(１１)、下部がストッパー(９)を構成するのが好ましい。さらにガイドロッド(５)、ハンマー打撃用凸球状面(１１)、ストッパー(９)には衝撃圧縮力が掛かるため焼入れにより強固に加工されている。
【００１９】
シリンダー(２)は、外径７８mm、高さ１５４mmの円筒状で350mlのアルミ缶がちょうど収まるサイズのものである。ここには圧縮するアルミ缶を縦に挿入し、圧縮時にはアルミ缶がズレるのを防ぐ役割を果たす。またシリンダー(２)の内径と前記圧縮プレート(４)の外径のクリアランスは大きすぎると前記圧縮プレート(４)の上下動が安定しないし、小さすぎると摩擦抵抗によりスムーズに上下動しないので適当なクリアランスを選択する必要がある。なおシリンダー(２)の形状は円筒状だが別の形状でも可能である。しかし空き缶を効果的に押さえるには空き缶の形状と同じ円筒状が一番好ましい。
ガイドプレート(１)は、円板の中央に前記ガイドロッド(５)の通し穴(８)が開けられたもので、前記シリンダー(２)の上部を閉鎖し、また前記ガイドロッド(５)の上下動により前記圧縮プレート(４)が前記シリンダー(２)内を安定した上下動を行うためのガイドの役割を果たす。
【００２０】
前記ガイドプレート(１)及び前記圧縮プレート(４)には各四ヶ所１０mmのエア抜き孔(３)を設けた。瞬時の圧縮工程においてエア抜き孔がない場合、空気が前記シリンダー(２)内に詰まり圧縮しにくくなるため、圧縮時のシリンダー(２)内の空気を抜く目的でエア抜き孔(３)を設けた。これにより、衝撃圧縮力が軽くなり潰れやすくなった。なおエア抜き孔(３)の形状や大きさ、数は任意に選択可能である。
また前記エア抜き孔(３)を前記ガイドプレート(１)に設けるのではなく、前記シリンダー(２)側面等に設けることも可能である。これにより圧縮時に排出される空気が作業者に当たることによる不快感を取り除くことができる。
【００２１】
ハンドル(６)は棒に握りボスが取り付けられたものが好ましい。握りボスがつけられていることにより移動時に持ちやすくなる。また圧縮作業時に握りボスを握ることで安定した状態で作業を行うことができる。
【００２２】
安定リング(７)は、前記シリンダー(２)の下部に設けられた幅の厚い部分のことである。これを設けることにより、幅を厚くしてない状態に比べ、本発明と置いた場所との接地面積が増えるため、圧縮時に装置全体にかかる圧力が減り、前記シリンダー(２)の下部がつぶれるのを防ぐことができる。また本発明の装置自体も安定した状態で置くことができる。
【００２３】
本発明の空き缶つぶし器は通常の機械加工により製造可能である。ガイドロッド(５)はハンマーなどの衝撃圧縮力を伝える部材であるから、例えば調質処理を施したS45Cなどある程度機械的強度があるものを使用することが好ましい。その他の部材はSS41 などの普通の鋼材でよい。ハンドル(６)の握りボスは作業者が握るのでプラスチック製が好ましい。またガイドプレート(１)とシリンダー(２)の接続は一体成型でもよいし、ボルト接続でもよいし、焼き嵌めでもよい。
【００２４】
今回の発明を実施するための最良の形態の説明では350mlアルミ缶を例にとって詳しい説明を行ったが、本発明の技術範囲はこの形態に限定されるものではない。すなわち、前記シリンダー(２)の径と高さ、前記ガイドロッド(５)の長さ、前記ストッパー(９)の位置、前記圧縮プレート(４)の径、前記受け機構(１０)の径と深さを調整することによりさまざまな高さや径を持った異なったサイズの空き缶にも対応可能である。またスチール缶などのアルミ缶より硬い缶に対しても前記ガイドロッド(５)にモーター、圧縮空気などの動力機構などのメカニカル機能を加えることで圧縮可能となる。
【図面の簡単な説明】
【００２５】
【図１】本発明の空き缶つぶし器の断面図である。
【図２】圧縮前の空き缶を縦にシリンダー内に挿入した状態の断面図である。
【図３】圧縮後の空き缶と本発明の状態の断面図である。
【図４】空き缶と圧縮プレートの接部付近の詳細な断面図である。
【符号の説明】
【００２６】
１…ガイドプレート        ２…シリンダー                    ３…エア抜き孔
４…圧縮プレート          ５…ガイドロッド                  ６…ハンドル
７…安定リング            ８…通し穴                        ９…ストッパー
１０…受け機構            １１…ハンマー打撃用凸球状面      １２…圧縮前の空き缶
１３…圧縮後の空き缶
【図１】
2006289499.tif 000003
【図２】
2006289499.tif 000004
【図３】
2006289499.tif 000005
【図４】
2006289499.tif 000006